(57)【要約】      （修正有）【課題】緩衝用物品収納体の板体と可撓性フィルムとの間に挿入された物品は該可撓性フィルムによって弾力的に保持されると同時に、それらを収納する別体の容器に外部から衝撃が加わっても、その衝撃が該物品に直接伝わらないように該物品を保持する該板体と可撓性フィルムとを弾発的に収納保持できる緩衝用物品収納体を提供する。【解決手段】板体と該板体の一部を切断、折り曲げし、中央部に矩形状の物品載置片４、その周辺部に各種折り曲げ片を形成し、該物品載置片上に物品挿入用非固定部を設けた可撓性フィルム３を敷設固定し、該物品載置片と可撓性フィルム間を物品の収納部とした緩衝用物品収納体１において、該物品載置片周辺部の折り曲げ片の内、該可撓性フィルムの固定部側となる緩衝用弾発片６を端縁部の折り曲げ部から該物品載置片の裏面側へ回し込み折り曲げ形成し、該緩衝用弾発片を物品載置片４の弾力的持ち上げ片としたことを特徴とする緩衝用物品収納体。【選択図】図４
0003192689.tif 000002
【実用新案登録請求の範囲】
【請求項１】
板体と該板体の一部を切断、折り曲げし、中央部に矩形状の物品載置片、その周辺部に各種折り曲げ片を形成し、該物品載置片上に物品挿入用非固定部を設けた可撓性フィルムを敷設固定し、該物品載置片と可撓性フィルム間を物品の収納部とした緩衝用物品収納体において、該物品載置片周辺部の折り曲げ片の内、該可撓性フィルムの固定部側となる緩衝用弾発片を端縁部の折り曲げ部から該物品載置片の裏面側へ回し込み折り曲げ形成し、該緩衝用弾発片を物品載置片の弾力的持ち上げ片としたことを特徴とする緩衝用物品収納体。
【請求項２】
物品載置片の可撓性フィルムの非固定部側端縁部の折り曲げ部に立ち上げ片を形成したことを特徴とする請求項１記載の緩衝用物品収納体。
【請求項３】
立ち上げ片の先端部側端縁部の折り曲げ部を外方へ水平に折り曲げて間隔保持片とし、該間隔保持片の他端縁部の折り曲げ部を立ち上げ片方向側へ折り曲げて容器接触片としたことを特徴とする請求項２記載の緩衝用物品収納体。
【請求項４】
立ち上げ片と容器接触片との間に間隙を形成する間隔保持片の両端部側に該容器接触片を外方へ押圧する折り曲げ押圧片を、該立ち上げ片の両端部側の折り曲げ部の折り曲げにより形成したことを特徴とする請求項３記載の緩衝用物品収納体。
【考案の詳細な説明】
【技術分野】
【０００１】
本考案は、板体と可撓性フィルムとよりなる緩衝用物品収納体において、それらを収納する別体の容器への外部からの衝撃を該緩衝用物品収納体に収納保持された物品に伝わることを緩和できる緩衝用物品収納体に関する。
【背景技術】
【０００２】
壊れ易い様々な大きさの物品や精密機器類等の衝撃に弱い物品を収納容器により運搬或いは保管する際 、外部からの衝撃が該物品に直接伝わらないようにするために各種の衝撃緩衝手段が考えられているが、その内の最も有効な手段として可撓性フィルムを利用するものがある。
【０００３】
上記可撓性フィルムを利用する手段は、図５に示す下記特許文献のように、可撓性フィルムＡを弾力性のある保持体としての板体Ｂ上にその左右端部Ｃのみを固定し、該可撓性フィルムＡと板体Ｂ間の物品Ｄを該可撓性フィルムＡにより該板体Ｂ側に押え付けて支持することにより、外部からの衝撃を該可撓性フィルムＡ及び弾力性を有する保持体としての板体Ｂとにより吸収し、大きな衝撃が該物品Ｄに直接伝わることを防止する技術である。
【先行技術文献】
【特許文献】
【０００４】
【特許文献１】実用新案登録第３１８１２９４号公報
【考案の概要】
【考案が解決しようとする課題】
【０００５】
上記可撓性フィルムと板体との組み合わせよりなる緩衝用物品収納体は、物品を衝撃から守るのに適しているが、弾力性のある保持体として板体となる物品載置片の裏面側は、それらを収納する別体の容器の内底に接することになり、該容器に外部から衝撃が加わった場合、その衝撃が直接物品載置片に伝わり、ひいては物品に影響を与えていた。
【０００６】
本考案は、上記欠点を解決したもので、緩衝用物品収納体の板体と可撓性フィルムとの間に挿入された物品は該可撓性フィルムによって弾力的に保持されると同時に、それらを収納する別体の容器に外部から衝撃が加わっても、その衝撃が該物品に直接伝わらないように該物品を保持する該板体と可撓性フィルムとを弾発的に収納保持できる緩衝用物品収納体を提供するものである。
【課題を解決するための手段】
【０００７】
本考案は、板体と該板体の一部を切断、折り曲げし、中央部に矩形状の物品載置片、その周辺部に各種折り曲げ片を形成し、該物品載置片上に物品挿入用非固定部を設けた可撓性フィルムを敷設固定し、該物品載置片と可撓性フィルム間を物品の収納部とした緩衝用物品収納体において、該物品載置片周辺部の折り曲げ片の内、該可撓性フィルムの固定部側となる緩衝用弾発片を端縁部の折り曲げ部から該物品載置片の裏面側へ回し込み折り曲げ形成し、該緩衝用弾発片を物品載置片の弾力的持ち上げ片とした緩衝用物品収納体を特徴とする。
【０００８】
また、上記物品載置片の可撓性フィルムの非固定部側端縁部の折り曲げ部に立ち上げ片を形成した緩衝用物品収納体を特徴とする。
【０００９】
更に、上記立ち上げ片の先端部側端縁部の折り曲げ部を外方へ水平に折り曲げて間隔保持片とし、該間隔保持片の他端縁部の折り曲げ部を立ち上げ片方向側へ折り曲げて容器接触片とした緩衝用物品収納体を特徴とする。
【００１０】
また、上記立ち上げ片と容器接触片との間に間隙を形成する間隔保持片の両端部側に該容器接触片を外方へ押圧する折り曲げ押圧片を、該立ち上げ片の両端部側の折り曲げ部の折り曲げにより形成した緩衝用物品収納体を特徴とする。
【考案の効果】
【００１１】
本考案の緩衝用物品収納体は、板体と可撓性フィルムとの間に間挿支持された物品を、その上面及び側面側は該可撓性フィルムによって弾力的に支持し、残る下面側は物品載置片としての弾力性のある該板体の他、該物品載置片の端縁部側の折り曲げ部より裏面側へ折り返して形成した緩衝用弾発片を設けたもので、該緩衝用弾発片は該物品載置片を上方へ押し上げる弾発力が常に作用し、該物品載置片が別体の容器内に収納されても、その押圧力により該物品載置片の裏面側が該容器の内底に接することがないので、外部からの衝撃が物品の下面側へ直接伝わることがない。
【００１２】
また、本考案の緩衝用物品収納体は、その側面側に立ち上げ片と容器接触片とを間隙を形成して設け、該立ち上げ片側から容器接触片側へ弾発力が作用する折り曲げ押圧片を該間隙に間挿させることができるので、該容器接触片が別体の容器の内壁に強く押圧されることになり、該緩衝用物品収納体を容器内で強固に保持することが可能となった。
【図面の簡単な説明】
【００１３】
【図１】本考案の緩衝用物品収納体の展開平面図。
【図２】（ａ）本考案の緩衝用物品収納体に物品を収納保持し、物品載置片の上下に位置する緩衝用弾発片を折り曲げた状態の平面図、（ｂ）上記平面図のＡ−Ａ線の断面図。
【図３】本考案の緩衝用物品収納体を図２の状態から更に左右の立ち上げ片を折り曲げた状態の平面図。
【図４】本考案の緩衝用物品収納体を図３のものを容器Ｙに収納した状態の側断面図。
【図５】可撓性フィルムを使用して物品を収納保持している状態を示す従来の緩衝用物品収納体の側断面図。
【考案を実施するための形態】
【００１４】
以下、図面を参考に本考案の実施例を説明する。
【実施例１】
【００１５】
図１は、本考案の緩衝用物品収納体１の展開平面図を示し、該緩衝用物品収納体１は、物品Ｗの下側支持体の形成及びその周辺部の各種折り曲げ片を形成する板状の折曲板体２及び該折曲板体２上の中央部に敷設された伸縮自在の可撓性フィルム３とより構成されている。
【００１６】
該折曲板体２は、段ボール紙や他の材料からなり、衝撃が生じても収納した物品Ｗへの伝達が緩和できる弾力が得られるものを採用する。
【００１７】
該折曲板体２は、中央部の物品載置片４並びにその周囲に延設された各種折り曲げ片となる緩衝用弾発片５、６、立ち上げ片７、８、折り曲げ押圧片９、１０、１１、１２、該立ち上げ片７、８の外方に延設された間隔保持片１３、１４及び容器接触片１５、１６とより構成されている。
【００１８】
上記中央部の折曲板体２の上下（便宜上、図１の展開平面図の位置関係に基づいて詳述する）に上側折り曲げ部１７、下側折り曲げ部１８を設け、該上下側折り曲げ部１７、１８に連続して各々緩衝用弾発片５、６を設けている。
【００１９】
該緩衝用弾発片５、６は、図２（ｂ）に示すように、上下側折り曲げ部１７、１８より該物品載置片４の裏面側へ回し込むようにして折り曲げられる。
【００２０】
該可撓性フィルム３は、該物品載置片４及びその上下側緩衝用弾発片５、６にかけて敷設され、該緩衝用弾発片５、６の各々の外側端縁部に固定され、その直交方向となる該物品載置片４及び緩衝用弾発片５、６の左右側端縁部は非固定部とされ、物品Ｗを挿入して所定位置に保持させるための挿入口及びその物品Ｗを取り出すための取り出し口となる。
【００２１】
該物品載置片４及び緩衝用弾発片５、６の左右側方には、左側折り曲げ部１９、右側折り曲げ部２０を設け、該左右側折り曲げ部１９、２０に連続して左右側立ち上げ片７、８及び左右上下側折り曲げ押圧片９、１０、１１、１２を設けている。
【００２２】
左上側折り曲げ押圧片９は、該左側立ち上げ片７の上部に左上側傾斜折り曲げ部２１を下側の折り曲げ位置とし、右側は該左側折り曲げ部１９を右側の折り曲げ位置として左側立ち上げ片７の裏面側へ回し込むようにして折り曲げられる。該左上側傾斜折り曲げ部２１は、左側折り曲げ部１９に対して約７５度の角度を形成して傾斜させるのが最適である。
【００２３】
同様に、左下側折り曲げ押圧片１０は、該左側立ち上げ片７の下部に左下側傾斜折り曲げ部２２を上側の折り曲げ位置とし、右側は該左側折り曲げ部１９を右側の折り曲げ位置として左側立ち上げ片７の裏面側へ回し込むようにして折り曲げられる。該左下側傾斜折り曲げ部２２の傾斜角度は、上記と同様である。
【００２４】
また、右上側折り曲げ押圧片１１は、該右側立ち上げ片８の上部に右上側傾斜折り曲げ部２３を下側の折り曲げ位置とし、左側は該右側折り曲げ部２０を左側の折り曲げ位置として右側立ち上げ片８の裏面側へ回し込むようにして折り曲げられる。
【００２５】
更に、右下側折り曲げ押圧片１２は、該右側立ち上げ片８の下部に右下側傾斜折り曲げ部２４を上側の折り曲げ位置とし、左側は該右側折り曲げ部２０を左側の折り曲げ位置として右側立ち上げ片８の裏面側へ回し込むようにして折り曲げられる。上記右上側・右下側傾斜折り曲げ部２３、２４の傾斜角度も、上記と同様である。
【００２６】
また、左上側折り曲げ押圧片９は、その折り曲げをスムーズに行うこと及び押圧力を確実なものとするために該折り曲げ部１９に沿うようにして左上側第２傾斜折り曲げ部２５を設けている。この折り曲げ部は、該左上側傾斜折り曲げ部２１とその基端部を一致させ、該折り曲げ部１９に対して約２０度の角度を形成して傾斜させるのが最適である。
【００２７】
上記と同様に、左下側第２傾斜折り曲げ部２６、右上側第２傾斜折り曲げ部２７及び右下側第２傾斜折り曲げ部２８を形成し、該左上下側・右上下側傾斜折り曲げ部２１、２２、２３、２４で該左上下側・右上下側折り曲げ押圧片９、１０、１１、１２が折り曲げられたとき、追随して折り曲げられることになる。
【００２８】
該左側立ち上げ片７の外方端縁には左側間隔保持片１３が水平方向に折り曲げ部２９で折り曲げられ、更に、左側間隔保持片１３の外方端縁側の折り曲げ部３０において、左側容器接触片１５を該左側立ち上げ片７と略等間隔を保持するように裏面側へ折り曲げられる。
【００２９】
同様に、該右側立ち上げ片８の外方端縁には右側間隔保持片１４が水平方向に折り曲げ部３１で折り曲げられ、更に、右側間隔保持片１４の外方端縁側の折り曲げ部３２において、右側容器接触片１６を該右側立ち上げ片８と略等間隔を保持するように裏面側へ折り曲げられる。
【００３０】
上記構成よりなる本考案の緩衝用物品収納体１は、１枚の折曲可能な板体を切断及び折り曲げ、その板体の物品載置片４の上面側に可撓性フィルム３を敷設することで形成することができ、先ず、物品載置片４と可撓性フィルム３との間に物品Ｗを配設し、該物品Ｗを該可撓性フィルム３により強く押圧し、且つ、該物品載置片４を上方へ押し上げることのできる緩衝用弾発片５、６を該物品載置片４の裏面側へ回し込むようにして折り曲げ、左右側立ち上げ片７、８を該物品載置片４に対して直交方向へ折り曲げ、更に、左右側間隔保持片１３、１４を該左右側立ち上げ片７、８に対して外方へ直交方向へ折り曲げ、更に、該左右側容器接触片１５、１６を該左右側立ち上げ片７、８と略平行となるように該左右側間隔保持片１３、１４と直交する方向へ折り曲げることになる。
【００３１】
上記左右側立ち上げ片７、８と該左右側容器接触片１５、１６との間には、該上下緩衝用弾発片５、６を折り曲げたときに同時に折り曲げられた左右上下側の折り曲げ押圧片９、１０、１１、１２が位置することになり、該折り曲げ押圧片９、１０、１１、１２は該左右側容器接触片１５、１６を外方へ押圧する作用をすることになるので、別体の容器Ｙに収納された本考案の緩衝用物品収納体１の該左右側容器接触片１５、１６は別体容器の内壁を強く押し付けることになり、側面側を強固に保持できることになる。
【符号の説明】
【００３２】
１                      緩衝用物品収納体
２                      折曲板体
３                      可撓性フィルム
４                      物品載置片
５                      上緩衝用弾発片
６                      下緩衝用弾発片
７                      左側立ち上げ片
８                      右側立ち上げ片
９                      左上側折り曲げ押圧片
１０                    左下側折り曲げ押圧片
１１                    右上側折り曲げ押圧片
１２                    右下側折り曲げ押圧片
１３                    左側間隔保持片
１４                    右側間隔保持片
１５                    左側容器接触片
１６                    右側容器接触片
１７                    上側折り曲げ部
１８                    下側折り曲げ部
１９                    左側折り曲げ部
２０                    右側折り曲げ部
２１                    左上側傾斜折り曲げ部
２２                    左下側傾斜折り曲げ部
２３                    右上側傾斜折り曲げ部
２４                    右下側傾斜折り曲げ部
２５                    左上側第２傾斜折り曲げ部
２６                    左下側第２傾斜折り曲げ部
２７                    右上側第２傾斜折り曲げ部
２８                    右下側第２傾斜折り曲げ部
２９、３０、３１、３２  折り曲げ部
【図１】
0003192689.tif 000003
【図２】
0003192689.tif 000004
【図３】
0003192689.tif 000005
【図４】
0003192689.tif 000006
【図５】
0003192689.tif 000007